(57)【要約】【課題】引き抜き方向の部品の損傷を防ぐことができるネジ棒の引き抜き工具を提供する。【解決手段】  引き抜き工具は、壁面に固定される本体部と、上端部が本体部のカップリングに嵌め込まれ、下端部が体部の土台部から下方に向かって突出したネジ棒と、を有するエレベータ用セレクターから、ネジ棒を引く抜くために使用される。ネジ棒の引き抜き工具は、軸部材が通る穴部が設けられたプレート部と、土台部の下面側に当接するようにプレート部から上方に向かって設けられた支持構造と、軸部材の上端に固定され、ネジ棒の下端部を把持するためのクランプ部と、穴部よりも大きな外形を有し、軸部材の下端側からネジに嵌合する嵌合部材と、を備える。【選択図】図３
2020189351.tif 000002
【特許請求の範囲】
【請求項１】
壁面に固定される本体部と、上端部が前記本体部のカップリングに嵌め込まれ、下端部が前記本体部の土台部から下方に向かって突出したネジ棒と、を有するエレベータ用セレクターから、前記ネジ棒を引く抜くための引き抜き工具であって、
ネジが切られた軸部材と、
前記軸部材が通る穴部が設けられたプレート部と、
前記土台部の下面側に当接するように前記プレート部から上方に向かって設けられた支持構造と、
前記軸部材の上端に固定され、前記ネジ棒の下端部を把持するためのクランプ部と、
前記穴部よりも大きな外形を有し、前記軸部材の下端側から前記ネジに嵌合する嵌合部材と、
を備えるネジ棒の引き抜き工具。
【請求項２】
前記プレート部は矩形の外形を有し、
前記支持構造は、
前記プレート部の第一辺の両端から上方向に延びる一対の第一柱部材と、
前記第一辺と向かい合う前記プレート部の第２辺の両端から上方向に延びる一対の第二柱部材と、
前記土台部の下面に当接するように、前記一対の第一柱部材の間及び前記一対の第二柱部材の間をそれぞれ架け渡す架設部材と、
を含んで構成されることを特徴とする請求項１に記載のネジ棒の引き抜き工具。
【請求項３】
前記第一柱部材及び前記第二柱部材には、長手方向に位置の異なる複数の挿入孔が形成され、
前記架設部材は、前記挿入孔に挿入されるピンを含んで構成されることを特徴とする請求項２に記載のネジ棒の引き抜き工具。
【請求項４】
前記第一柱部材及び前記第二柱部材は、前記プレート部への上下方向の取付位置を調整可能に構成されていることを特徴とする請求項２又は請求項３に記載のネジ棒の引き抜き工具。
【請求項５】
前記クランプ部は、前記ネジ棒に接する把持面を含み、
前記把持面は、前記ネジ棒の前記下端部に沿って円弧状に湾曲していることを特徴とする請求項１から請求項４の何れか１項に記載のネジ棒の引き抜き工具。
【請求項６】
前記クランプ部は、前記ネジ棒に接する把持面を含み、
前記把持面はローレット加工が施されていることを特徴とする請求項１から請求項５の何れか１項に記載のネジ棒の引き抜き工具。
【請求項７】
前記プレート部と前記クランプ部との間に配置されたゴム部材を更に備えることを特徴とする請求項１から請求項６の何れか１項に記載のネジ棒の引き抜き工具。
【請求項８】
請求項３に記載の前記ネジ棒の引き抜き工具を用いて、前記ネジ棒を前記本体部から引く抜くための引き抜き方法であって、
前記ピンが前記土台部の下面側を通るように前記ピンを前記挿入孔に挿入する工程と、
前記クランプ部によって前記ネジ棒を把持する工程と、
前記軸部材が前記嵌合部材に対して相対的に下方する方向に前記嵌合部材を回転させる工程と、
を備えることを特徴とするネジ棒の引き抜き方法。
【請求項９】
請求項３に記載の前記ネジ棒の引き抜き工具を用いて、前記ネジ棒を前記本体部へ挿入するための挿入方法であって、
前記ネジ棒を挿入方向に向けて配置する工程と、
前記ピンが前記土台部の上面側を通るように前記ピンを前記挿入孔に挿入する工程と、
前記クランプ部によって前記ネジ棒を把持する工程と、
前記軸部材が前記嵌合部材に対して相対的に下方する方向に前記嵌合部材を回転させる工程と、
を備えることを特徴とするネジ棒の挿入方法。
【発明の詳細な説明】
【技術分野】
【０００１】
本発明は、エレベータ用セレクターに使用されるネジ棒を引き抜くための引き抜き工具、及びそれを用いたネジ棒の引き抜き及び挿入方法に関する。
【背景技術】
【０００２】
従来、例えば特許文献１には、ギア等をシャフトから引き抜く際に好適な引き抜き工具に関する技術が開示されている。この引き抜き工具は、ネジが切られた主軸と、主軸が回転可能に取り付けられたプレートと、ネジ部と嵌合するタップ穴を有する引っ掛け部とを有している。プレートは、主軸の取り付け方向に向けて突出する２つの押さえボルトを備えている。そして、引っ掛け部にはこれらの押さえボルトが貫通する貫通穴と、貫通穴に対向する位置に設けられた切り欠き穴とが設けられている。シャフトに取り付けられたギア等を取り外す際には、取り外し対象となるギヤ等が取り付けられているシャフトを切り欠き穴と貫通穴の間に挿入する。そして、主軸を回転させることによって、シャフトの端部と押さえボルトの端部とが当接し合い、ギア等がシャフトから引き抜かれる。
【先行技術文献】
【特許文献】
【０００３】
【特許文献１】特開２００８−３０７６６０号公報
【発明の概要】
【発明が解決しようとする課題】
【０００４】
エレベータにはセレクターと呼ばれるスイッチを備えたものがある。セレクターは、その内部にネジ棒と呼ばれる軸部材が組み込まれている。セレクターの保守点検の際には、ネジ棒の下端を下方に向けて引っ張ることによって、セレクター本体からネジ棒を引き抜くことが行われる。
【０００５】
ここで、ネジ棒がセレクター本体に強固に嵌合していることがある。このような場合、ネジ棒を下方に向かって引っ張ると、抜けたネジ棒が勢いよく飛び出すことによって引き抜き方向の部品を損傷してしまうことがある。上記従来の技術の工具では、シャフトを押すことはできても引っ張ることはできないため、ネジ棒の引き抜き動作には対応できない。
【０００６】
本発明は、上述のような課題を解決するためになされたもので、引き抜き方向の部品の損傷を防ぐことができるネジ棒の引き抜き工具を提供することを目的とする。
【０００７】
また、本発明は、引き抜き方向の部品の損傷を防ぐことができるネジ棒の引き抜き及び挿入方法を提供することを目的とする。
【課題を解決するための手段】
【０００８】
本発明は、壁面に固定される本体部と、上端部が本体部のカップリングに嵌め込まれ、下端部が本体部の土台部から下方に向かって突出したネジ棒と、を有するエレベータ用セレクターから、ネジ棒を引く抜くためのネジ棒の引き抜き工具に適用される。引き抜き工具は、ネジが切られた軸部材と、軸部材が通る穴部が設けられたプレート部と、土台部の下面側に当接するようにプレート部から上方に向かって設けられた支持構造と、軸部材の上端に固定され、ネジ棒の下端部を把持するためのクランプ部と、穴部よりも大きな外形を有し、軸部材の下端側からネジに嵌合する嵌合部材と、を備えるものである。
【０００９】
本発明のネジ棒の引き抜き方法は、壁面に固定される本体部と、上端部が本体部のカップリングに嵌め込まれ、下端部が本体部の土台部から下方に向かって突出したネジ棒と、を有するエレベータ用セレクターから、ネジ棒を引く抜くためのネジ棒の引き抜き工具を用いる。引き抜き工具は、ネジが切られた軸部材と、軸部材が通る穴部が設けられたプレート部と、土台部の下面側に当接するようにプレート部から上方に向かって設けられた支持構造と、軸部材の上端に固定され、ネジ棒の下端部を把持するためのクランプ部と、穴部よりも大きな外形を有し、軸部材の下端側からネジに嵌合する嵌合部材と、を備える。プレート部は矩形の外形を有する。支持構造は、プレート部の第一辺の両端から上方向に延びる一対の第一柱部材と、第一辺と向かい合うプレート部の第２辺の両端から上方向に延びる一対の第二柱部材と、土台部の下面に当接するように、一対の第一柱部材の間及び一対の第二柱部材の間をそれぞれ架け渡す架設部材と、を含んで構成される。第一柱部材及び第二柱部材には、長手方向に位置の異なる複数の挿入孔が形成される。架設部材は、挿入孔に挿入されるピンを含んで構成される。本発明の引き抜き方法は、このようなネジ棒の引き抜き工具を用いて、ネジ棒を本体部から引く抜くための引き抜き方法であって、ピンが土台部の下面側を通るようにピンを挿入孔に挿入する工程と、クランプ部によってネジ棒を把持する工程と、軸部材が嵌合部材に対して相対的に下方する方向に嵌合部材を回転させる工程と、を備えるものである。
【００１０】
本発明のネジ棒の挿入方法は、壁面に固定される本体部と、上端部が本体部のカップリングに嵌め込まれ、下端部が本体部の土台部から下方に向かって突出したネジ棒と、を有するエレベータ用セレクターから、ネジ棒を引く抜くためのネジ棒の引き抜き工具を用いる。引き抜き工具は、ネジが切られた軸部材と、軸部材が通る穴部が設けられたプレート部と、土台部の下面側に当接するようにプレート部から上方に向かって設けられた支持構造と、軸部材の上端に固定され、ネジ棒の下端部を把持するためのクランプ部と、穴部よりも大きな外形を有し、軸部材の下端側からネジに嵌合する嵌合部材と、を備える。プレート部は矩形の外形を有する。支持構造は、プレート部の第一辺の両端から上方向に延びる一対の第一柱部材と、第一辺と向かい合うプレート部の第２辺の両端から上方向に延びる一対の第二柱部材と、土台部の下面に当接するように、一対の第一柱部材の間及び一対の第二柱部材の間をそれぞれ架け渡す架設部材と、を含んで構成される。第一柱部材及び第二柱部材には、長手方向に位置の異なる複数の挿入孔が形成される。架設部材は、挿入孔に挿入されるピンを含んで構成される。本発明の挿入方法は、このようなネジ棒の引き抜き工具を用いて、ネジ棒を本体部へ挿入するための挿入方法であって、ネジ棒を挿入方向に向けて配置する工程と、ピンが土台部の上面側を通るようにピンを挿入孔に挿入する工程と、クランプ部によってネジ棒を把持する工程と、軸部材が嵌合部材に対して相対的に下方する方向に嵌合部材を回転させる工程と、を備えるものである。
【発明の効果】
【００１１】
本発明のネジ棒の引き抜き工具によれば、プレート部の下方から嵌合部材を軸部材に捻じ込むことによって、クランプ部に把持されたネジ棒を引き抜くことができる。これにより、ネジ棒の引き抜く動作において、引き抜き方向の部品が損傷することを防ぐことができる。
【００１２】
また、本発明の引き抜き工具を用いたネジ棒の引き抜き及び挿入方法によれば、ネジ棒を上下方向に押し引きする動作を必要としないため、引き抜き方向の部品が損傷することを防ぐことが可能となる。
【図面の簡単な説明】
【００１３】
【図１】エレベータに使用されるセレクターの概要を示す正面図である。
【図２】エレベータに使用されるセレクターの概要を示す側面図である。
【図３】引き抜き工具の構成を説明するための正面図である。
【図４】引き抜き工具の構成を説明するための側面図である。
【図５】クランプ部の把持部をネジ棒の軸方向に垂直な面で切断した断面図である。
【発明を実施するための形態】
【００１４】
以下、図面を参照して実施の形態について説明する。なお、各図において共通する要素には、同一の符号を付して、重複する説明を省略する。
【００１５】
実施の形態．
１．エレベータ用セレクターの構成
セレクター１００は、エレベータの制御盤の内部に配置される部品であり、かごの位置を検出するためのスイッチである。図１は、エレベータに使用されるセレクターの概要を示す正面図である。また、図２は、エレベータに使用されるセレクターの概要を示す側面図である。なお、図１及び図２では、内部構成を説明するために、その一部を断面図にて示している。
【００１６】
図１及び図２に示すように、セレクター１００は、制御盤の壁面に固定される本体部１０２と、電動機１０４と、移動ナット１０６と、接点積み１０８と、ネジ棒１１０とを備えている。本体部１０２の上部には、回転軸が鉛直方向となる向きで電動機１０４が固定されている。電動機１０４の回転軸にはカップリングブロック１１２が装着されている。
【００１７】
ネジ棒１１０は、本体部１０２の下方から鉛直上方向に挿入され、その上端部がカップリングブロック１１２に嵌合している。また、ネジ棒１１０は、本体部１０２に組み込まれた２つのベアリング１１４によって回転可能に支持されている。ネジ棒１１０の下端側を支持するベアリング１１４は、本体部１０２の土台部１２０に収納されている。土台部１２０は、本体部１０２とともに壁面に対して固定された部材である。土台部１２０は、ネジ棒１１０の下端部の周囲を筒状に覆っている。ネジ棒１１０の下端部１１０ａは土台部１２０から下方に向かって突出している。下端部１１０ａにはローレット加工が施されている。
【００１８】
電動機１０４の回転軸が回転すると、それに伴いネジ棒１１０が回転する。移動ナット１０６は、本体部の案内棒１１８に沿って鉛直方向に可動する部品である。移動ナット１０６は、ネジ棒１１０のネジ部に嵌合するように配置されており、ネジ棒１１０の回転に応じて上下方向に移動する。
【００１９】
電動機１０４は、エレベータの上下移動に対応して駆動される。これにより、移動ナット１０６は、エレベータのかごと同様に上下移動する。本体部１０２には、鉛直方向に沿って接点積み１０８が設けられている。接点積み１０８は、エレベータのかごが移動する各階に対応している。移動ナット１０６が停止した位置を接点積み１０８が検出することにより、エレベータのかごの位置を検出可能としている。
【００２０】
２．引き抜き工具の構成
セレクター１００は、定期的に保守点検が行われる。保守点検では、セレクター１００の本体部１０２からネジ棒１１０を下方に引き抜く作業が行われる。ネジ棒１１０は、セレクター１００の本体部１０２に強固に嵌合していることがある。このような場合、ネジ棒１１０を勢いよく引っ張ると、抜けたネジ棒１１０が下方に勢いよく飛び出すことによって引き抜き方向の部品を損傷してしまうことがある。このような課題を解決するために、実施の形態の引き抜き工具１０は、ネジ棒１１０を安全に引き抜くための特徴を備えている。
【００２１】
図３は、引き抜き工具の構成を説明するための正面図である。また、図４は、引き抜き工具の構成を説明するための側面図である。なお、図３及び図４では、セレクター１００の構成要素のうち、ネジ棒１１０と本体部１０２の土台部１２０の一部を図示している。
【００２２】
引き抜き工具１０は、矩形のプレート部１２と、４本の柱部材１４と、２本の第一ピン１６２と、２本の第二ピン１６４と、４本の締結部材１８と、クランプ部２０と、軸部材２２と、ナット２４とを含んで構成されている。プレート部１２は、例えば金属板により構成される。柱部材１４は、例えば金属の角材により構成される。柱部材１４は、プレート部１２の第一辺の両端から上方向に延びるように固定される一対の第一柱部材１４ａと、当該第一辺と向かい合うプレート部１２の第２辺の両端から上方向に延びるように固定される一対の第二柱部材１４ｂとを含んでいる。柱部材１４の固定には、締結部材１８であるボルトが用いられる。柱部材１４の下端側には、長手方向に沿ってボルトを通すための複数の調整穴１４６が設けられている。複数の調整穴１４６の何れかを選択することにより、プレート部１２に対する柱部材１４の長手方向の固定位置を調整することができる。
【００２３】
クランプ部２０は、ボデー２０２と、調整ネジ部２０４と、把持部２０６とを含んだ一般的なクランプ構造を有している。クランプ部２０の構造に限定はない。この図のクランプ部２０では、ボデー２０２の形状がＣ型に構成されたＣ型クランプを例示している。クランプ部２０は、把持部２０６による把持方向が、引き抜き対象であるネジ棒１１０の軸方向と直行する向きとなるように配置される。
【００２４】
軸部材２２は、クランプ部２０を下方から支持する軸である。軸部材２２はその軸方向が鉛直方向となる向きで、上端がクランプ部２０のボデー２０２に接続されている。軸部材２２には雄ネジが切られている。プレート部１２の中央付近には、軸部材２２を通すための穴部１２２が設けられている。クランプ部２０は、軸部材２２を当該穴部１２２に通した位置に配置される。
【００２５】
ナット２４は、軸部材２２の雄ネジと嵌合する雌ネジが切られた嵌合部材の例示である。ナット２４は、プレート部１２に設けられた穴部１２２の穴径よりも大きな外形を有している。ナット２４は、例えば、軸部材２２をプレート部１２の穴部１２２に挿入した状態で軸部材２２の下端側から捻じ込まれる。
【００２６】
第一ピン１６２及び第二ピン１６４は、第一柱部材１４ａの間及び第二柱部材１４ｂの間をそれぞれ架け渡す架設部材として機能する。柱部材１４の上端側には、長手方向に沿って複数個の挿入孔１４２及び１４４がそれぞれ形成されている。第一ピン１６２及び第二ピン１６４は、一対の第一柱部材１４ａの間及び一対の第二柱部材１４ｂの間をそれぞれ架け渡すように、挿入孔１４２及び１４４に挿入される。
【００２７】
３．引き抜き工具の動作
３−１．引き抜き工具によるネジ棒の引き抜き動作
引き抜き工具１０を用いたネジ棒１１０の引き抜き動作について説明する。セレクター１００からネジ棒１１０を引き抜く場合、セレクター１００の本体部１０２の土台部１２０を利用する。ここでの土台部１２０は、内部にベアリングが格納された円筒形状の部位である。また、引き抜き工具１０の前準備として、軸部材２２を穴部１２２に挿入した状態でナット２４を軸部材２２の後端部付近に取り付けておく。また、第一ピン１６２及び第二ピン１６４は、柱部材１４の挿入孔１４２及び１４４から抜いておく。
【００２８】
先ず、クランプ部２０がネジ棒１１０の下端部１１０ａに位置するように引き抜き工具１０を配置する。次に、第一ピン１６２及び第二ピン１６４を挿入孔１４２及び１４４に挿入する。この際、第一ピン１６２が土台部１２０の下面側を通り、第二ピン１６４が土台部１２０の上面側を通るように適当な挿入孔１４２及び１４４を選択する。これにより、引き抜き工具１０は、土台部１２０の上面側に接する第二ピン１６４によって支持される。次に、クランプ部２０の調整ネジ部２０４を締結方向に回して把持部２０６によってネジ棒１１０の下端部１１０ａを把持する。
【００２９】
次に、軸部材２２がナット２４に対して相対的に下降する方向にナット２４を回す。引き抜き工具１０は第一ピン１６２が土台部１２０の下面に当接することによって上方向への移動が規制される。つまり、柱部材１４と第一ピン１６２は、土台部１２０の下面側に当接するようにプレート部１２から上方に向かって設けられた支持構造として機能する。これにより、クランプ部２０は、軸部材２２とともに下方向に移動する。クランプ部２０に把持されたネジ棒１１０は、ナット２４の回転に対応して徐々に下方へと引き抜かれる。このように、引き抜き工具１０によれば、ナット２４の回転動作によってネジ棒１１０を引き抜くことができるので、ネジ棒１１０を引き抜く勢いで下方の電子部品を破損することを防ぐことができる。
【００３０】
３−２．引き抜き工具によるネジ棒の挿入動作
引き抜き工具１０は、ネジ棒１１０をセレクター１００の本体部１０２に挿入する挿入動作にも対応している。以下、引き抜き工具１０を用いたネジ棒１１０の挿入動作について説明する。
【００３１】
取り外したネジ棒１１０をセレクター１００へ挿入する場合、引き抜き工具１０の前準備として、ナット２４を軸部材２２の根本付近に取り付けた状態で軸部材２２を穴部１２２に挿入しておく。
【００３２】
先ず、ネジ棒１１０を挿入方向に向けて配置した状態で、クランプ部２０がネジ棒１１０の下端部１１０ａに位置するように引き抜き工具１０を配置する。次に、第二ピン１６４を挿入孔１４４に挿入する。この際、第二ピン１６４が土台部１２０の上面側を通るようにする。これにより、引き抜き工具１０は、土台部１２０の上面側に接する第二ピン１６４によって支持される。次に、クランプ部２０の調整ネジ部２０４を締結方向に回して把持部２０６によってネジ棒１１０の下端部１１０ａを把持する。
【００３３】
次に、軸部材２２がナット２４に対して相対的に上昇する方向にナット２４を回す。引き抜き工具１０は第二ピン１６４によって下方向への移動が規制されるため、クランプ部２０は軸部材２２とともに上方向に移動する。クランプ部２０に把持されたネジ棒１１０は、ナット２４の締め込みに対応して徐々に上方へと挿入される。このように、引き抜き工具１０によれば、ナット２４を回転させる動作によってネジ棒１１０を簡易に挿入することができる。
【００３４】
４．実施の形態の引き抜き工具の変形例
実施の形態の引き抜き工具１０は、以下のように変形した態様を適用してもよい。
【００３５】
クランプ部２０の構成の限定はない。例えば、左右の把持部２０６のそれぞれに調整ネジ部２０４を備えていてもよい。また、把持部２０６の形状にも限定はない。例えば、把持部２０６は、ネジ棒１１０の下端部１１０ａに沿った形状としてもよい。図５は、クランプ部の把持部をネジ棒の軸方向に垂直な面で切断した断面図である。この図に示す例では、把持部２０６の把持面２０６ａは、下端部１１０ａの外径に沿って円弧状に湾曲している。また、把持部２０６の把持面２０６ａには、滑り止めを目的として凹凸状のローレット加工が施されてもよい。このような把持部２０６の構成によれば、把持部２０６によってネジ棒１１０を強固に把持することが可能となる。
【００３６】
プレート部１２とクランプ部２０との間にゴム部材を配置する構成としてもよい。例えば、プレート部１２の上面にゴム部材を敷く構成としてもよい。このような構成によれば、引き抜き動作時にネジ棒１１０が引き抜かれた際にクランプ部２０がプレート部１２の上面に落下する衝撃を和らげることができる。
【００３７】
引き抜き工具１０における支持構造は、柱部材１４と第一ピン１６２を用いる方法に限らない。すなわち、支持構造は、引き抜き動作において土台部１２０の下面側に当接する構造であれば、その部品構成に限定はない。
【００３８】
実施の形態の引き抜き工具１０は、位置調整用の調整穴１４６を複数設けることによりプレート部１２への柱部材１４の取付位置を調整可能とした。しかしながら、柱部材１４の取付位置の調整方法はこれに限られない。例えば、調整穴１４６を長孔に構成することによって取付位置を調整する構成でもよい。
【００３９】
軸部材２２をボデー２０２に接続する構造に限定はない。例えば、ボデー２０２に雌ネジを切った穴を形成し、当該穴に軸部材２２を捻じ込むことによって両者を接続する構成でもよい。このような構成によれば、仮に軸部材２２の雄ネジが損傷した場合に、新しい軸部材２２への交換が容易となる。
【符号の説明】
【００４０】
１０  引き抜き工具、  １２  プレート部、  １２２  穴部、  １４  柱部材、  １４ａ  第一柱部材、  １４ｂ  第二柱部材、  １４２  挿入孔、  １４４  挿入孔、  １４６  調整穴、  １６２  第一ピン、  １６４  第二ピン、  １８  締結部材、  ２０  クランプ部、  ２０２  ボデー、  ２０４  調整ネジ部、  ２０６  把持部、  ２０６ａ  把持面、  ２２  軸部材、  ２４  ナット、  １００  セレクター、  １０２  本体部、  １０４  電動機、  １０６  移動ナット、  １１０  ネジ棒、  １１０ａ  下端部、  １１２  カップリングブロック、１１４  ベアリング、  １１８  案内棒、  １２０  土台部
【図１】
2020189351.tif 000003
【図２】
2020189351.tif 000004
【図３】
2020189351.tif 000005
【図４】
2020189351.tif 000006
【図５】
2020189351.tif 000007